(57)【特許請求の範囲】
【請求項１】
データ信号及びゲート信号に応答して映像を表示する表示パネルを駆動するための表示パネル駆動装置において、
第１スイッチング信号に応答して電源電圧をスイッチングする第１スイッチング部と、
制御信号と前記第１スイッチング部からの前記電源電圧に応答してゲート制御信号とデータ制御信号を出力するタイミング制御部と、
前記電源電圧を第１乃至第３駆動電圧として出力する駆動電圧発生部と、
第２スイッチング信号に応答して前記第１乃至第３駆動電圧をスイッチングする第２スイッチング部と、
前記ゲート制御信号、前記第２スイッチング部からの前記第１及び第２駆動電圧に応答して前記ゲート信号を出力するゲート駆動部と、
前記データ制御信号と前記第２スイッチング部からの前記第３駆動電圧に応答して前記データ信号を出力するデータ駆動部と、を含む表示パネル駆動装置。
【請求項２】
前記第１スイッチング部は、前記電源電圧の供給が遮断される第１時点より遅い第２時点で前記タイミング制御部をターンオフさせることにより、前記タイミング制御部のオン／オフを制御する、請求項１に記載の表示パネル駆動装置。
【請求項３】
前記第２スイッチング部は、前記電源電圧が遮断されるにつれて、前記第２時点より早い第３時点で前記第１駆動電圧を遮断し、前記第２時点より遅い第４時点で前記第２駆動電圧を遮断して前記ゲート駆動部のオン／オフを制御する、請求項２に記載の表示パネル駆動装置。
【請求項４】
前記第１駆動電圧と前記第２駆動電圧とは互いに反対の極性を有している、請求項３に記載の表示パネル駆動装置。
【請求項５】
前記第１駆動電圧は前記ゲート駆動部をターンオンさせる電圧であり、前記第２駆動電圧は前記ゲート駆動部をターンオフさせる電圧である、請求項４に記載の表示パネル駆動装置。
【請求項６】
前記第１駆動電圧は前記第３時点で接地電圧になり、前記第２駆動電圧は前記第４時点で前記接地電圧になる、請求項５に記載の表示パネル駆動装置。
【請求項７】
前記第３駆動電圧は、前記第２時点で接地電圧まで下降して前記データ駆動部を前記第２時点でターンオフさせることを特徴とする請求項２に記載の表示パネル駆動装置。
【請求項８】
前記データ駆動部は、第１区間に基準電圧より高い前記データ信号を出力し、第２区間に前記基準電圧より低い前記データ信号を出力し、
前記ゲート駆動部は、前記第１及び第２区間で前記ゲート信号を出力する、
請求項７に記載の表示パネル駆動装置。
【請求項９】
前記第１区間と前記第２区間との間には、前記第１区間で前記ゲート駆動部から出力された前記ゲート信号を放電させるためのブランク区間が更に具備される、請求項８に記載の表示パネル駆動装置。
【請求項１０】
前記第２スイッチング部は、前記第２時点がブランク区間内に含まれるように前記ブランク区間で前記第３駆動電圧を遮断する、請求項９に記載の表示パネル駆動装置。
【請求項１１】
第１スイッチング信号に応答して電源電圧をスイッチングする第１スイッチング部と、
制御信号と前記第１スイッチング部からの前記電源電圧に応答してゲート制御信号とデータ制御信号を出力するタイミング制御部と、
前記電源電圧を第１乃至第３駆動電圧として出力する駆動電圧発生部と、
第２スイッチング信号に応答して前記第１乃至第３駆動電圧をスイッチングする第２スイッチング部と、
前記ゲート制御信号、前記第２スイッチング部からの前記第１及び第２駆動電圧に応答してゲート信号を出力するゲート駆動部と、
前記データ制御信号と前記第２スイッチング部からの前記第３駆動電圧に応答してデータ信号を出力するデータ駆動部と、
前記データ信号を受信するデータラインと、前記ゲート信号を受信するゲートラインとを具備し、前記データ信号と前記ゲート信号に応答して映像を表示する表示パネルと、を含むことを特徴とする表示装置。
【請求項１２】
前記ゲート駆動部は前記表示パネルに具備される、請求項１１に記載の表示装置。
【請求項１３】
前記データ駆動部は、チップで集積されて前記表示パネル上に具備される、請求項１１に記載の表示装置。
【請求項１４】
外部から電源電圧を受信し、データ信号及びゲート信号に応答して映像を表示する表示パネルを駆動するための駆動方法において、
第１スイッチング信号に応答して外部から受信した前記電源電圧をスイッチングする段階と、
制御信号と前記第１スイッチング信号に応答してスイッチングされた電源電圧に応答してゲート制御信号とデータ制御信号を出力する段階と、
外部から受信した前記電源電圧を第１乃至第３駆動電圧として出力する段階と、
第２スイッチング信号に応答して前記第１乃至第３駆動電圧をスイッチングする段階と、
前記ゲート制御信号、前記第１及び第２駆動電圧に応答してゲート信号を出力する段階と、
前記データ制御信号と前記第３駆動電圧に応答してデータ信号を出力する段階と、を含むことを特徴とする駆動方法。
【請求項１５】
前記電源電圧は第１時点で遮断され、前記ゲート制御信号とデータ制御信号は前記第１時点より遅い第２時点で遮断される、請求項１４に記載の駆動方法。
【請求項１６】
前記第１駆動電圧は、前記第２時点より早い第３時点で接地電圧まで下降し、前記第２駆動電圧は、前記第２時点より遅い第４時点で前記接地電圧に上昇される、請求項１５に記載の駆動方法。
【発明の詳細な説明】
【技術分野】
【０００１】
本発明は、表示パネル駆動装置、これを有する表示装置及びその駆動方法に関する。より詳細には、電源供給の遮断後、表示装置から発生する画面上のノイズを除去することができる表示パネル駆動装置、これを有する表示装置及びその駆動方法に関する。
【背景技術】
【０００２】
一般に、液晶表示装置は、多数のゲートラインと多数のデータラインが具備された液晶パネル、多数のゲートラインにゲート駆動信号を出力するゲート駆動回路、及び多数のデータラインに映像信号を出力するデータ駆動回路で構成される。ここで、ゲート駆動回路及びデータ駆動回路は、チップ形態として液晶パネルに実装される。
【０００３】
しかし、最近では、液晶表示装置の全体的なサイズを減少させ生産性を増大させるために、ゲート駆動回路が液晶パネルに直接形成される。
【０００４】
ゲート駆動回路は、互いに従属的に連結された多数のステージからなるシフトレジスタで構成される。多数のステージは、多数のゲートラインに一対一に対応し、各ステージの出力は、対応するゲートラインに印加される。
【発明の開示】
【発明が解決しようとする課題】
【０００５】
ゲート駆動回路のサイズは、液晶パネルのサイズに比例して増加するので、ゲート駆動回路内でのライン抵抗及び寄生キャパシタンスが増加することになる。このようなライン抵抗と寄生キャパシタンスは、ゲート駆動回路の動作が外部からの信号により迅速に制御されることを低下させる。
【０００６】
特に、電源の供給が遮断された後にも、ゲート駆動回路に充電された電圧が迅速に放電されないため、ゲート駆動回路からは、所望しない信号が出力されることになる。透過型液晶表示装置において、このような所望しない信号が液晶表示装置のゲートラインに印加されても、バックライトアセンブリのオン／オフで隠すことができる。しかし、反射型又は半透過型液晶表示装置において、このような所望しない信号は、液晶表示装置のゲートラインに印加されて画面上にノイズとして現われる。
【０００７】
従って、本発明の目的は、電源供給の遮断後、表示装置から発生する画面上のノイズを除去するための表示パネル駆動装置を提供することにある。
【０００８】
又、本発明の他の目的は、前記した表示パネル駆動装置を有する表示装置を提供することにある。
【０００９】
又、本発明の他の目的は、前記した表示パネル駆動装置の駆動方法を提供することにある。
【課題を解決するための手段】
【００１０】
本発明の一特徴による表示パネル駆動装置は、第１スイッチング部、制御部、駆動電圧発生部、第２スイッチング部、ゲート駆動部、及びデータ駆動部で構成され、データ信号とゲート信号に応答して映像を表示する表示パネルを駆動する。
【００１１】
前記第１スイッチング部は、第１スイッチング信号に応答して電源電圧をスイッチングする。前記制御部は、制御信号と前記第１スイッチング部からの前記電源電圧に応答してゲート制御信号とデータ制御信号を出力する。
【００１２】
前記駆動電圧発生部は、前記電源電圧を第１乃至第３駆動電圧として出力する。前記第２スイッチング部は、第２スイッチング信号に応答して前記第１乃至第３駆動電圧をスイッチングする。
【００１３】
前記ゲート駆動部は、前記ゲート制御信号、前記第２スイッチング部を通過した前記第１及び第２駆動電圧に応答して前記ゲート信号を出力する。前記データ駆動部は、前記データ制御信号と前記第２スイッチング部からの前記第３駆動電圧に応答して前記データ信号を出力する。
【００１４】
前記第１スイッチング部は、前記電源電圧の供給が遮断される第１時点より遅い第２時点で前記タイミング制御部をターンオフさせることにより、前記タイミング制御部のオン／オフを制御することが好ましい。
【００１５】
また、前記第２スイッチング部は、前記電源電圧が遮断されるにつれて、前記第２時点より早い第３時点で前記第１駆動電圧を遮断し、前記第２時点より遅い第４時点で前記第２駆動電圧を遮断して前記ゲート駆動部のオン／オフを制御することが好ましい。
【００１６】
第１駆動電圧（例えば第２ゲート駆動電圧Ｖｏｆｆ）は、第３時点Ｔ３まで既に設定された電位をそのまま維持するので、ターンオン状態のシフトレジスタは、第２駆動電圧（例えば第２ゲート駆動電圧Ｖｏｆｆ）によりターンオフ状態に容易に転換される。従って、第２時点Ｔ２以前にゲート駆動部１５０の全てのシフトレジスタをターンオフ状態に転換することができる。
【００１７】
また、前記第１駆動電圧と前記第２駆動電圧とは互いに反対の極性を有していることが好ましい。例えば、前記第１駆動電圧は正極性を有し、前記第２駆動電圧は負極性を有する形態がある。また例えば、前記第１駆動電圧は負極性を有し、前記第２駆動電圧は正極性を有する形態もある。
【００１８】
また、前記第１駆動電圧は、前記ゲート駆動部をターンオンさせる電圧であり、前記第２駆動電圧は、前記ゲート駆動部をターンオフさせる電圧であることが好ましい。
【００１９】
また、前記第１駆動電圧は前記第３時点で接地電圧になり、前記第２駆動電圧は前記第４時点で前記接地電圧になることが好ましい。例えば、第１駆動電圧は正極性を有し、第２駆動電圧は負極性を有する場合、第１駆動電圧は第３時点で接地電圧まで下降する。一方、第２駆動電圧は、第４時点で接地電圧まで上昇する。逆に、第１駆動電圧は負極性を有し、第２駆動電圧は正極性を有する場合、第１駆動電圧は第３時点で接地電圧まで上昇する。一方、第２電圧は第４時点で接地電圧まで下降する。
【００２０】
また、前記第３駆動電圧は、前記第２時点で接地電圧まで下降して前記データ駆動部を前記第２時点でターンオフさせることが好ましい。
【００２１】
また、前記データ駆動部は、第１区間に基準電圧より高い前記データ信号を出力し、第２区間に前記基準電圧より低い前記データ信号を出力することが好ましい。前記ゲート駆動部は、前記第１及び第２区間で前記ゲート信号を出力することが好ましい。
【００２２】
また、前記第１区間と前記第２区間との間には、前記第１区間で前記ゲート駆動部から出力された前記ゲート信号を放電させるためのブランク区間が更に具備されることが好ましい。
【００２３】
また、前記第２スイッチング部は、前記第２時点がブランク区間内に含まれるように前記ブランク区間で前記第３駆動電圧を遮断することが好ましい。前記ゲート駆動部からゲート信号が出力されないブランク区間でデータ駆動部がターンオフされることにより、横線性ノイズを除去することができる。
【００２４】
又、本発明の他の特徴による表示装置は、第１スイッチング部、タイミング制御部、駆動電圧発生部、第２スイッチング部、ゲート駆動部、データ駆動部、及び表示パネルを含む。
【００２５】
前記第１スイッチング部は、第１スイッチング信号に応答して電源電圧をスイッチングする。前記制御部は、制御信号と前記第１スイッチング部からの前記電源電圧に応答してゲート制御信号とデータ制御信号とを出力する。
【００２６】
前記駆動電圧発生部は、前記電源電圧を第１乃至第３駆動電圧として出力する。前記第２スイッチング部は、第２スイッチング信号に応答して前記第１乃至第３駆動電圧をスイッチングする。
【００２７】
前記ゲート駆動部は、前記ゲート制御信号、前記第２スイッチング部からの前記第１及び第２駆動電圧に応答して前記ゲート信号を出力する。前記データ駆動部は、前記データ制御信号と前記第２スイッチング部からの前記第３駆動電圧に応答して前記データ信号を出力する。
【００２８】
前記表示パネルは、前記データ信号を受信するデータラインと、前記ゲート信号を受信するゲートラインとを具備し、前記データ信号と前記ゲート信号に応答して映像を表示する。
【００２９】
前記ゲート駆動部は、前記表示パネルに具備されることが好ましい。
【００３０】
また、前記データ駆動部は、チップで集積されて前記表示パネル上に具備されることが好ましい。
【００３１】
又、外部から電源電圧を受信し、データ信号及びゲート信号に応答して映像を表示する表示パネルを駆動するための駆動方法を提供する。
前記駆動方法は、
第１スイッチング信号に応答して外部から受信した前記電源電圧をスイッチングする段階と、
制御信号と前記第１スイッチング信号に応答してスイッチングされた電源電圧に応答してゲート制御信号とデータ制御信号を出力する段階と、
外部から受信した前記電源電圧を第１乃至第３駆動電圧として出力する段階と、
第２スイッチング信号に応答して前記第１乃至第３駆動電圧をスイッチングする段階と、
前記ゲート制御信号、前記第１及び第２駆動電圧に応答してゲート信号を出力する段階と、
前記データ制御信号と前記第３駆動電圧に応答してデータ信号を出力する段階と、を含むことを特徴とする。
【００３２】
前記電源電圧は第１時点で遮断され、前記ゲート制御信号とデータ制御信号は、前記第１時点より遅い第２時点で遮断されることが好ましい。
【００３３】
前記第１駆動電圧は、前記第２時点より早い第３時点で接地電圧まで下降し、前記第２駆動電圧は、前記第２時点より遅い第４時点で前記接地電圧に上昇されることが好ましい。
【００３４】
このような表示パネル駆動装置、これを有する表示装置及びその駆動方法によると、ゲート駆動部をターンオンさせる第１駆動電圧は、電源電圧が遮断される時点で接地電圧になり、ゲート駆動部をターンオフさせる第２駆動電圧は、電源電圧が遮断され、所定の時間が経過した後に接地電圧になる。従って、電源供給の遮断後、表示装置から発生する画面上のノイズを除去することができる。
【発明を実施するための最良の形態】
【００３５】
以下、添付図面を参照して、本発明の好ましい実施例をより詳細に説明する。
（第１実施例）
図１は、本発明の第１実施例による表示パネル駆動装置を示したブロック図である。
【００３６】
図１を参照すると、本発明の一実施例による表示パネル駆動装置１００は、タイミング制御部１１０、ＤＣ／ＤＣコンバータ（駆動電圧発生部に相当）１３０、データ駆動部１４０、ゲート駆動部１５０、第１スイッチング部１２０、及び第２スイッチング部１６０を含む。前記表示パネル駆動装置１００は、外部から電源電圧ＤＶＤＤを受信し、前記電源電圧ＤＶＤＤは、前記第１スイッチング部１２０とＤＣ／ＤＣコンバータ１３０に提供される。ここで、前記電源電圧ＤＶＤＤは約３.３Ｖのデジタル電圧である。
【００３７】
前記第１スイッチング部１２０は、第１スイッチング信号ＳＣＳ１に応答して前記タイミング制御部１１０のオン／オフを制御する。前記第１スイッチング部１２０に提供される前記電源電圧ＤＶＤＤが第１時点で遮断されても、前記第１スイッチング部１２０は、前記第１時点より遅い第２時点まで前記電源電圧ＤＶＤＤを遅延させて前記タイミング制御部１１０を前記第２時点までターンオンさせる。以後、前記第２時点で遮断された前記電源電圧ＤＶＤＤにより前記タイミング制御部１１０はターンオフされる。ここで、前記タイミング制御部１１０に提供される前記電源電圧ＤＶＤＤは、ロジック電圧Ｖｌｏｇｉｃとして定義される。
【００３８】
前記タイミング制御部１１０は、外部から受信された制御信号ＴＣＳと前記第１スイッチング部１２０からの前記ロジック電圧Ｖｌｏｇｉｃに応答して水平制御信号ＨＣＳ（ゲート制御信号に相当）及び垂直制御信号ＶＣＳ（データ制御信号に相当）を出力する。ここで、前記制御信号ＴＣＳは、水平同期信号、垂直同期信号、及びメインクロック信号等で構成される。
【００３９】
前記タイミング制御部１１０から出力された前記水平制御信号ＨＣＳは、前記ゲート駆動部１５０に提供され、前記垂直制御信号ＶＣＳは、前記データ駆動部１４０に提供される。
【００４０】
ＤＣ／ＤＣコンバータ１３０は、データ駆動電圧ＡＶＤＤ（第３駆動電圧に相当）、第１及び第２ゲート駆動電圧Ｖｏｎ（第１駆動電圧に相当）、Ｖｏｆｆ（第２駆動電圧に相当）を出力する。一方、前記ＤＣ／ＤＣコンバータ１３０は、前記電源電圧ＤＶＤＤを上昇または下降させて適切な電圧レベルに変更させ、デジタル形態の前記電源電圧ＤＶＤＤをアナログ形態に変更する役割も行う。従って、前記ＤＣ／ＤＣコンバータ１３０から出力されるデータ駆動電圧ＡＶＤＤ、第１及び第２ゲート駆動電圧Ｖｏｎ、Ｖｏｆｆは、全部アナログ形態の電圧である。ここで、前記第１ゲート駆動電圧Ｖｏｎは正（＋）の極性を有し、前記第２ゲート駆動電圧Ｖｏｆｆは負（−）の極性を有する。
【００４１】
前記データ駆動電圧ＡＶＤＤ、第１及び第２ゲート駆動電圧Ｖｏｎ、Ｖｏｆｆは、前記第２スイッチング部１６０に提供される。前記第２スイッチング部１６０は、第２乃至第４スイッチング信号ＳＣＳ２、ＳＣＳ３、ＳＣＳ４に応答して、前記データ駆動電圧ＡＶＤＤ、第１及び第２ゲート駆動電圧Ｖｏｎ、Ｖｏｆｆをスイッチングする。
【００４２】
前記第２スイッチング部１６０は、前記第２スイッチング信号ＳＣＳ２に応答して前記データ駆動電圧ＡＶＤＤを前記データ駆動部１４０に伝送するか、又は前記データ駆動電圧ＡＶＤＤの伝送を遮断する。
【００４３】
又、前記第２スイッチング部１６０は、前記第３及び第４スイッチング信号ＳＣＳ３、ＳＣＳ４に応答して、前記第１及び第２ゲート駆動電圧Ｖｏｎ、Ｖｏｆｆを前記ゲート駆動部１５０に伝送するか、又は前記第１及び第２ゲート駆動電圧Ｖｏｎ、Ｖｏｆｆの伝送を遮断する。
【００４４】
これにより、前記第１ゲート駆動電圧Ｖｏｎが遮断される第３時点は、前記ロジック電圧Ｖｌｏｇｉｃが遮断される前記第２時点より繰り上げられ、前記第２ゲート駆動電圧Ｖｏｆｆが遮断される第４時点は、前記ロジック電圧Ｖｌｏｇｉｃが遮断される前記第２時点以後に遅延される。
【００４５】
ゲート駆動部１５０は、水平制御信号ＨＣＳ、第２スイッチング部１６０からの第１及び第２ゲート駆動電圧Ｖｏｎ、Ｖｏｆｆに応答して、ゲート信号Ｖｇ１・・・Ｖｇｎを出力する。
【００４６】
データ駆動部１４０は、垂直制御信号ＶＣＳと第２スイッチング部１６０からの第３駆動電圧ＡＶＤＤに応答して、データ信号Ｖｄ１・・・Ｖｄｎを出力する
図２は、図１に図示された第２スイッチング部を示す図である。
【００４７】
図１及び図２を参照すると、第２スイッチング部１６０は、第１ゲート駆動電圧Ｖｏｎをスイッチングするための第１ＰＭＯＳトランジスタＰＴ１及び第１ＮＭＯＳトランジスタＮＴ１を具備し、第２ゲート駆動電圧Ｖｏｆｆをスイッチングするための第２ＰＭＯＳトランジスタＰＴ２及び第２ＮＭＯＳトランジスタＮＴ２を具備する。
【００４８】
前記第１ＰＭＯＳトランジスタＰＴ１のソース電極には、前記第１ゲート駆動電圧Ｖｏｎが提供され、ゲート電極には、第３スイッチング信号ＳＣＳ３が提供され、ドレーン電極はゲート駆動部１５０に電気的に連結される。
【００４９】
前記第１ＮＭＯＳトランジスタＮＴ１のソース電極には接地電圧Ｖｇｎｄが提供され、ゲート電極には前記第３スイッチング信号ＳＣＳ３が提供され、ドレーン電極は前記第１ＰＭＯＳトランジスタＰＴ１のドレーン電極と電気的に連結される。
【００５０】
特定時点でハイ状態に遷移される前記第３スイッチング信号ＳＣＳ３に応答して、前記第１ＰＭＯＳトランジスタＰＴ１はターンオフされ、前記第１ＮＭＯＳトランジスタＮＴ１はターンオンされる。従って、前記第２スイッチング部１６０は、前記第１ゲート駆動電圧Ｖｏｎの代わりに、前記接地電圧Ｖｇｎｄを出力して前記ゲート駆動部１５０に提供する。ここで、前記第２スイッチング部１６０が前記接地電圧Ｖｇｎｄを出力する時点については、図４で具体的に説明する。
【００５１】
一方、前記第２ＰＭＯＳトランジスタＰＴ２のソース電極には前記第２ゲート駆動電圧Ｖｏｆｆが提供され、ゲート電極には第４スイッチング信号ＳＣＳ４が提供され、ドレーン電極は、前記ゲート駆動部１５０に電気的に連結される。
【００５２】
前記第２ＮＭＯＳトランジスタＮＴ２のソース電極には前記接地電圧Ｖｇｎｄが提供され、ゲート電極には前記第４スイッチング信号ＳＣＳ４が提供され、ドレーン電極は、前記第２ＰＭＯＳトランジスタＰＴ２のドレーン電極と電気的に連結される。
【００５３】
従って、特定時点でハイ状態に遷移される前記第４スイッチング信号ＳＣＳ４に応答して、前記第２ＰＭＯＳトランジスタＰＴ２はターンオフされ、前記第２ＮＭＯＳトランジスタＮＴ２はターンオンされる。従って、前記第２スイッチング部１６０は、前記第２ゲート駆動電圧Ｖｏｆｆの代わりに、前記接地電圧Ｖｇｎｄを出力して前記ゲート駆動部１５０に提供する。ここで、前記第２スイッチング部１６０が前記接地電圧Ｖｇｎｄを出力する時点については、図４で具体的に説明する。
【００５４】
図２では、第２スイッチング部１６０が多数のＮＭＯＳとＰＭＯＳトランジスタで構成されることを図示したが、前記第２スイッチング部１６０はトランジスタのみならず、スイッチングすることができる他の素子でも構成されることができる。
【００５５】
図１を更に参照すると、前記データ駆動部１４０は、前記垂直制御信号ＶＣＳ及び前記第２スイッチング部１６０を通過した前記データ駆動電圧ＡＶＤＤに応答して、外部から提供される映像信号を変換してデータ信号（Ｖｄ１〜Ｖｄｍ）として出力する。
【００５６】
図３は、図１に図示されたゲート駆動部を具体的に示す図である。
【００５７】
図１及び図３を参照すると、ゲート駆動部１５０は、水平制御信号ＨＣＳ、第１及び第２ゲート駆動電圧Ｖｏｎ、Ｖｏｆｆに応答してゲート信号を出力する。
【００５８】
前記ゲート駆動部１５０は、互いに従属的に連結されたｎ＋１個のステージ（ＳＲＣ１〜ＳＲＣｎ＋１）を有するシフトレジスタで構成される。前記第１ゲート駆動電圧Ｖｏｎは、前記各ステージ（ＳＲＣ１〜ＳＲＣｎ＋１）をターンオンさせ、前記第２ゲート駆動電圧Ｖｏｆｆは、前記各ステージ（ＳＲＣ１〜ＳＲＣｎ＋１）をターンオフさせる。
【００５９】
一般に、前記各ステージ（ＳＲＣ１〜ＳＲＣｎ＋１）は、多数のＮＭＯＳトランジスタ（図示せず）とキャパシタ（図示せず）で構成される。従って、前記各ステージ（ＳＲＣ１〜ＳＲＣｎ＋１）をターンオンさせる前記第１ゲート駆動電圧Ｖｏｎは正の極性を有し、前記第２ゲート駆動電圧Ｖｏｆｆは負の極性を有する。
【００６０】
前記水平制御信号ＨＣＳは、第１クロックＣＫＶ、前記第２クロックＣＫＶＢ、及び開始信号ＳＴＶで構成され、前記第１クロックＣＫＶは、前記第２クロックＣＫＶＢと反転された位相を有する。
【００６１】
これにより、前記ｎ個のステージ（ＳＲＣ１〜ＳＲＣｎ）は、前記水平制御信号ＨＣＳ、第１及び第２ゲート駆動電圧Ｖｏｎ、Ｖｏｆｆに応答して順次にターンオンされながら前記ゲート信号（Ｖｇ１〜Ｖｇｎ）を出力する。
【００６２】
図４は、図１に図示された第１及び第２スイッチング部の出力波形図である。
【００６３】
図１、図３、及び図４を参照すると、外部から供給される電源電圧ＤＶＤＤが遮断される第１時点Ｔ１より遅延された第２時点Ｔ２で、ロジック電圧Ｖｌｏｇｉｃの電位が接地電圧Ｖｇｎｄに下降する。
【００６４】
前記第２時点Ｔ２で下降した前記ロジック電圧Ｖｌｏｇｉｃに応答してタイミング制御部１１０がターンオフされることにより、前記タイミング制御部１１０は垂直制御信号ＶＣＳの出力を停止する。前記垂直制御信号ＶＣＳの出力が停止される時点でデータ駆動部１４０もターンオフ状態に転換されて、前記データ駆動部１４０は、データ信号（Ｖｄ１〜Ｖｄｍ）出力を停止する。
【００６５】
一方、前記電源電圧ＤＶＤＤが遮断される前記第１時点Ｔ１で、第１ゲート駆動電圧Ｖｏｎの電位が前記接地電圧Ｖｇｎｄに下降する。即ち、前記第１ゲート駆動電圧Ｖｏｎは、前記ロジック電圧Ｖｌｏｇｉｃが下降する前記第２時点Ｔ２より早い前記第１時点Ｔ１で前記接地電圧Ｖｇｎｄに下降する。又、前記第２時点Ｔ２以後である第３時点Ｔ３で前記第２ゲート駆動電圧Ｖｏｆｆが前記接地電圧Ｖｇｎｄに上昇する。
【００６６】
前記第１ゲート駆動電圧Ｖｏｎが前記第１時点Ｔ１で前記接地電圧Ｖｇｎｄに下降することにより、ゲート駆動部１５０のうち、ターンオン状態のステージは、前記第１時点Ｔ１以後から徐々にターンオフ状態に転換される。
【００６７】
前記第２ゲート駆動電圧Ｖｏｆｆは、前記第３時点Ｔ３まで既に設定された電位をそのまま維持するので、ターンオン状態の前記ステージは、前記第２ゲート駆動電圧Ｖｏｆｆによりターンオフ状態に容易に転換される。従って、前記データ駆動部１４０がターンオフされる前記第２時点Ｔ２以前に前記ゲート駆動部１５０の全てのステージをターンオフ状態に転換することができる。
【００６８】
図４では、前記ゲート駆動部１５０の各ステージがＮＭＯＳトランジスタで構成されることにより、前記第１ゲート駆動電圧Ｖｏｎが正の極性を有し、前記第２ゲート駆動電圧Ｖｏｆｆが負の極性を有することを示した。しかし、前記ゲート駆動部１５０の各ステージは、ＰＭＯＳトランジスタで構成されることもできる。この場合には、前記第１ゲート駆動電圧Ｖｏｎは負の極性を有し、前記第２ゲート駆動電圧Ｖｏｆｆは正の極性を有する。
（第２実施例）
図５は、本発明の第２実施例による第１及び第２スイッチング部の出力波形図である。但し、図５では、ゲート駆動部の各ステージがＰＭＯＳトランジスタで構成される時、第１及び第２スイッチング部の出力波形を示す。
【００６９】
図１、図３及び図５を参照すると、負の極性を有する第１ゲート駆動電圧Ｖｏｎは、電源電圧が遮断される第１時点Ｔ１で接地電圧Ｖｇｎｄに上昇する。前記第１ゲート駆動電圧Ｖｏｎはロジック電圧Ｖｌｏｇｉｃが下降する第２時点Ｔ２より早い前記第１時点Ｔ１で前記接地電圧Ｖｇｎｄに上昇する。
【００７０】
正の極性を有する第２ゲート駆動電圧Ｖｏｆｆは、前記第２時点Ｔ２以後である第３時点Ｔ３で前記接地電圧Ｖｇｎｄに下降する。ここで、前記第１ゲート駆動電圧Ｖｏｎは、ゲート駆動部１５０の各ステージをターンオンさせる電圧であり、前記第２ゲート駆動電圧Ｖｏｆｆは、前記ゲート駆動部１５０の各ステージをターンオフさせる電圧である。
【００７１】
前記第１ゲート駆動電圧Ｖｏｎが前記第１時点Ｔ１で前記接地電圧Ｖｇｎｄに上昇することにより、ゲート駆動部１５０のうち、ターンオン状態のステージは、前記第１時点Ｔ１以後から徐々にターンオフ状態に転換される。前記第２ゲート駆動電圧Ｖｏｆｆは、前記第３時点Ｔ３まで既に設定された電位をそのまま維持するので、ターンオン状態の前記ステージは、前記第２ゲート駆動電圧Ｖｏｆｆによりターンオフ状態に容易に転換される。従って、前記データ駆動部１４０がターンオフされる前記第２時点Ｔ２以前に前記ゲート駆動部１５０の全てのステージをターンオフ状態に転換することができる。
（第３実施例）
図６は、本発明の第３実施例による液晶表示装置を示すブロック図である。図６では、図１に図示された構成要素と同じ構成要素には、同じ参照符号を付与し、その重複説明は省略する。
【００７２】
図６を参照すると、本発明の他の実施例による液晶表示装置３００は、映像を表示する液晶表示パネル２００と前記液晶表示パネル２００を駆動するための表示パネル駆動装置１００を含む。
【００７３】
第１基板、前記第１基板と向かい合う第２基板、及び前記第１基板と第２基板との間に介在された液晶層で構成された前記液晶表示パネル２００は、映像を表示する表示領域ＤＡと前記表示領域ＤＡ周辺の周辺領域ＳＡとに区分される。
【００７４】
前記表示領域ＤＡには、ゲートラインＧＬ及び前記ゲートラインＧＬと直交するデータラインＤＬが具備され、前記ゲートラインＧＬとデータラインＤＬにはＴＦＴ２１０が連結され、ＴＦＴ２１０のドレーン電極には画素電極２２０が結合される。
【００７５】
前記表示パネル駆動装置１００は、タイミング制御部１１０、ＤＣ／ＤＣコンバータ１３０、ゲート駆動部１５０、データ駆動部１４０、第１及び第２スイッチング部１２０、１６０を含む。
【００７６】
前記第１スイッチング部１２０は、第１スイッチング信号ＳＣＳ１に応答して電源電圧ＤＶＤＤをスイッチングすることにより、前記タイミング制御部１１０のオン／オフを制御する。前記タイミング制御部１１０は、外部から受信された制御信号ＴＣＳと前記第１スイッチング部１２０から提供されたロジック電圧Ｖｌｏｇｉｃに応答して、水平制御信号ＨＣＳ及び垂直制御信号ＶＣＳを出力する。前記タイミング制御部１１０から出力された前記水平制御信号ＨＣＳは、前記ゲート駆動部１５０に提供され、前記垂直制御信号ＶＣＳは、前記データ駆動部１４０に提供される。
【００７７】
前記ＤＣ／ＤＣコンバータ１３０は、前記電源電圧ＤＶＤＤを上昇又は下降させて、適切な電圧レベルに変更させ、デジタル形態の前記電源電圧ＤＶＤＤをアナログ形態のデータ駆動電圧ＡＶＤＤに変更する役割も行う。
【００７８】
前記データ駆動電圧ＡＶＤＤ、第１及び第２ゲート駆動電圧Ｖｏｎ、Ｖｏｆｆは、前記第２スイッチング部１６０に提供される。前記第２スイッチング部１６０は、第２乃至第４スイッチング信号（ＳＣＳ２〜ＳＣＳ４）に応答して、前記データ駆動電圧ＡＶＤＤ、第１及び第２ゲート駆動電圧Ｖｏｎ、Ｖｏｆｆをスイッチングする。
【００７９】
前記データ駆動部１４０は、前記垂直制御信号ＶＣＳ及び前記第２スイッチング部１６０を通過した前記データ駆動電圧ＡＶＤＤに応答して、外部から提供される映像信号を変換して、データ信号として前記データラインＤＬに出力する。
【００８０】
前記データ駆動部１４０は、チップ形態に集積されて前記液晶表示パネル２００の周辺領域ＳＡに実装されて前記データラインＤＬの一端部と電気的に連結される。
【００８１】
前記ゲート駆動部１５０は、水平制御信号ＨＣＳ、第１及び第２ゲート駆動電圧Ｖｏｎ、Ｖｏｆｆに応答してゲート信号をゲートラインＧＬに出力する。前記ゲート駆動部１５０は、前記表示領域ＤＡに具備される前記ＴＦＴ２１０と同じ工程を通じて前記液晶表示パネル２００の周辺領域ＳＡに形成される。前記ゲート駆動部１５０は、前記周辺領域ＳＡで前記ゲートラインＧＬの一端部と電気的に連結される。従って、前記ゲート駆動部１５０から出力された前記ゲート信号は、前記ゲートラインＧＬに提供される。
【００８２】
前記ゲートラインＧＬに前記ゲート信号が印加されると、前記ゲートラインＧＬに連結された前記ＴＦＴ２１０がターンオンされる。以後、前記データ駆動部１４０から出力されて前記データラインＤＬに印加された前記データ信号は、ターンオンされた前記ＴＦＴ２１０を通過して前記画素電極２２０に提供される。これにより、前記液晶表示パネル２００は、前記表示パネル駆動装置１００から提供されるゲート及びデータ信号に応答して映像を表示することができる。
【００８３】
前記表示パネル駆動装置１００は、前記電源電圧ＤＶＤＤが遮断される時、前記液晶表示パネル２００に印加される前記データ信号及びゲート信号を迅速に放電することにより、前記液晶表示パネル２００に前記データ信号及びゲート信号がノイズとして出力されることを防止することができる。
【００８４】
図７は、データ駆動部とゲート駆動部の出力が遮断される時点を示すための波形図である。
【００８５】
図１及び図７を参照すると、データ駆動部（図６参照）１４０が１つのデータ信号を出力する区間は、一つのフレームと定義される。一般に、前記データ駆動部１４０は、１秒間に６４フレーム分のデータ信号を出力するので、前記一つのフレームは、ほぼ１／６４秒と定義される。
【００８６】
第１フレームｆ１は、前記データ駆動部１４０が共通電圧Ｖｃｏｍを基準に正（＋）のデータ信号Ｖｄを出力するフレームであり、第２フレームｆ２は、負（−）のデータ信号Ｖｄを出力するフレームである。前記第１及び第２フレームｆ１、ｆ２は、互いに交互に存在する。即ち、前記データ駆動部１４０は、フレーム単位に互いに反転された位相を有するデータ信号Ｖｄを出力する。
【００８７】
一方、前記データ駆動部１４０が一つのフレームの間、前記データ信号Ｖｄを出力する間、ゲート駆動部１５０は１〜ｎまでのゲートラインに順次にゲート信号（Ｖｇ１〜Ｖｇｎ）を出力する。
【００８８】
前記第１フレームｆ１と前記第１フレームｆ１との間には、ブランク区間ＢＬが更に存在する。前記ブランク区間ＢＬで前記ゲート駆動部１５０は、前記ゲート信号を出力しない。即ち、前記ブランク区間ＢＬは、前記第２フレームｆ２で出力されるゲート信号が前記第１フレームｆ１のゲート信号に影響を受けないように、前記第１フレームｆ１の間に出力された前記ゲート信号が全部放電される区間である。
【００８９】
前記表示パネル駆動装置１００に提供される前記電源電圧ＤＶＤＤが遮断されるにつれて、前記第１又は第２フレームｆ１、ｆ２で前記データ駆動部１４０がターンオフされることができる。しかし、前記データ駆動部１４０がターンオフされた後、前記ゲート駆動部１５０から前記ゲート信号（Ｖｇ１〜Ｖｇｎ）が出力されると、前記ゲート信号（Ｖｇ１〜Ｖｇｎ）は、前記液晶表示パネル２００（図６参照）の画面上には、横線性ノイズとして発生する。
【００９０】
従って、前記ゲート駆動部１５０から前記ゲート信号（Ｖｇ１〜Ｖｇｎ）が出力されない前記ブランク区間ＢＬで前記データ駆動部１４０がターンオフされることにより、前記した横線性ノイズを除去することができる。
【産業上の利用可能性】
【００９１】
このような表示パネル駆動装置、その駆動方法及びこれを有する表示装置によると、ゲート駆動部をターンオンさせる第１駆動電圧は、電源電圧が遮断される時点で接地電圧にダウンされ、ゲート駆動部をターンオフさせる第２駆動電圧は、電源電圧が遮断され、所定の時間が経過した後に接地電圧に上昇される。
【００９２】
従って、電源供給の遮断後、表示装置から発生する画面上のノイズを除去することができる。
【００９３】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００９４】
【図１】本発明の第１実施例による表示パネル駆動装置を示したブロック図である。
【図２】図１に図示された第２スイッチング部を示した図である。
【図３】図１に図示されたゲート駆動部を具体的に示した図である。
【図４】図１に図示された第１及び第２スイッチング部の出力波形図である。
【図５】本発明の第２実施例による第１及び第２スイッチング部の出力波形図である。
【図６】本発明の第３実施例による液晶表示装置を示したブロック図である。
【図７】データ駆動部とゲート駆動部の出力が遮断される時点を示すための波形図である。
【符号の説明】
【００９５】
１００  表示パネル駆動装置
１１０  タイミング制御部
１２０  第１スイッチング部
１３０  ＤＣ／ＤＣコンバータ
１４０  データ駆動部
１５０  ゲート駆動部
１６０  第２スイッチング部
２００  液晶表示パネル
２１０  ＴＦＴ
２２０  画素電極
３００  液晶表示装置
【図１】
0004700315.tif 000002
【図２】
0004700315.tif 000003
【図３】
0004700315.tif 000004
【図４】
0004700315.tif 000005
【図５】
0004700315.tif 000006
【図６】
0004700315.tif 000007
【図７】
0004700315.tif 000008